(57)【特許請求の範囲】
【請求項１】
プラテン上に送り込まれたシートであって、その表面にインクジェットヘッドのノズルから噴射されたインク滴によりインクのドットの寄せ集めからなる線図又は文字がプリントされたシートをプラテン前方に漸次送り出して、そのシートをプラテン前方に配置された巻き取り軸周囲にロール状に巻き取る構造のインクジェットプリンタにおいて、
前記巻き取り軸をプラテンに接近させたりプラテンから遠ざけたり可能に支持する支持手段と、
該支持手段によりプラテンに接近させて支持された巻き取り軸を、プラテン前方に漸次送り出されるシートの送り出し速度とほぼ同等の速度で前記プラテンから漸次遠ざける離隔手段であって、前記プラテン上に送り込まれて前記インクジェットヘッドによりシート表面にプリントが行われる際に、前記インクジェットによりプリントされてプラテン前方に送り出された前記シートが巻き取り軸周囲に達するまでにそのシート表面にプリントされた線図又は文字を構成しているインクのドットが乾き切った状態となる位置以上に巻き取り軸をプラテンから遠ざける離隔手段と、
前記支持手段に支持された巻き取り軸をプラテン前方に送り出されたシートの巻き取り方向に回転させる回転手段と、
該回転手段と巻き取り軸とを連結しているトルクリミッタであって、前記回転手段から巻き取り軸に加わる回転力を調整して、プラテン前方に送り出されたシートを、プラテンに対しての巻き取り軸の位置の変動に拘わりなく、巻き取り軸周囲に一定のテンションを加えながら弛みなく巻き取るトルクリミッタとが備えられてなることを特徴とするインクジェットプリンタ。
【請求項２】
前記離隔手段によりプラテンから遠ざけられた巻き取り軸を、プラテンに再接近させる復帰手段が備えられた請求項１記載のインクジェットプリンタ。
【請求項３】
プラテン上に送り込まれたシートであって、その表面にインクジェットヘッドのノズルから噴射されたインク滴によりインクのドットの寄せ集めからなる線図又は文字がプリントされたシートをプラテン前方に漸次送り出して、そのシートをプラテン前方に配置された巻き取り軸周囲にロール状に巻き取る構造のインクジェットプリンタにおいて、
前記プラテン前方に送り出されて巻き取り軸周囲に巻き取られるシートの中途部内側に抱持させて、そのシートをプラテンと巻き取り軸との間の空間をほぼＶ字状又はほぼＵ字状に蛇行させるテンションローラと、
該テンションローラをプラテンに接近させたりプラテンから遠ざけたり可能に支持するローラ支持手段と、
該ローラ支持手段によりプラテンに接近させて支持されたテンションローラを、線図又は文字がプリントされてプラテン前方に漸次送り出されるシートの送り出し速度のほぼ１／２の速度でプラテンから漸次遠ざけるローラ離隔手段であって、前記プラテン上に送り込まれて前記インクジェットヘッドによりシート表面にプリントが行われる際に、前記インクジェットによりプリントされてプラテン前方に送り出された前記シートが巻き取り軸周囲に達するまでにそのシート表面にプリントされた線図又は文字を構成しているインクのドットが乾き切った状態となる位置以上にテンションローラをプラテンから遠ざけるローラ離隔手段と、
前記巻き取り軸をプラテン前方に送り出されたシートの巻き取り方向に回転させる回転手段と、
該回転手段と巻き取り軸とを連結しているトルクリミッタであって、回転手段から巻き取り軸に加わる回転力を調整して、プラテン前方に送り出されたシートを、プラテンに対してのテンションローラの位置の変動に拘わりなく、巻き取り軸周囲に一定のテンションを加えながら弛みなく巻き取るトルクリミッタとが備えられてなることを特徴とするインクジェットプリンタ。
【請求項４】
前記離隔手段によりプラテンから遠ざけられたテンションローラを、プラテンに再接近させるローラ復帰手段が備えられた請求項３記載のインクジェットプリンタ。
【発明の詳細な説明】
【０００１】
【発明の属する技術分野】
本発明は、シート表面に複数のインクのドットの寄せ集めからなる線図又は文字をプリントするインクジェットプリンタに関する。
【０００２】
【従来の技術】
上記プリンタとして、従来より、図３に示したような、インクジェットプリンタが周知である。
このプリンタでは、ほぼ蒲鉾状をしたプラテン１０上のＹ方向（図の表裏面方向）にインクジェットヘッド２０を走行させながら、そのインクジェットヘッド２０下面に並ぶ複数のノズル２２からインク滴を所定のタイミングで噴射させている。そして、そのインク滴を、プラテン１０上に送り込まれたシート３０表面の所定部位にドット状に着弾させている。そして、そのシート３０表面に、複数のインクのドットの寄せ集めからなる所定幅分の線図又は文字をＹ方向に向けてプリントしている。次いで、そのシート３０を、該シート表面にプリントされた所定幅分の線図又は文字の幅分、Ｘ方向（図の矢印方向）に移動させている。以下、インクジェットヘッド２０をＹ方向に繰り返し走行させる度毎に、上記と同様な操作を繰り返し行って、そのプラテン１０上に送り込まれたシート３０表面のＸ方向に所定幅の線図又は文字を漸次連続してプリントしている。それと共に、その表面に複数のインクのドットの寄せ集めからなる線図又は文字がＸ方向に漸次連続してプリントされたシート３０を、プラテン１０前方に漸次送り出している。そして、そのシート３０を、プラテン１０前方に配置された巻き取り軸５０周囲にロール状に漸次巻き取っている。
【０００３】
【発明が解決しようとする課題】
ところで、このインクジェットプリンタにおいては、近時、そのプリント速度が益々高まりつつある。そのために、そのシート３０表面にプリントされた線図又は文字を構成している複数のインクのドットが十分に乾き切らないうちに、そのシート３０がプラテン１０前方の巻き取り軸５０周囲に巻き取られてしまう傾向にあった。その結果、そのシート３０表面に付着している十分に乾き切っていないインクのドットが、同じ巻き取り軸５０周囲に巻き取られた他のシート３０部分と接触して互いにこすれ合い、シート３０表面に広がったり、他のシート３０部分に付着したり、又はシート３０表面に付着している他のインクのドットと混ざり合ったりしてしまった。そして、そのシート３０表面にプリントされた複数のインクのドットの寄せ集めからなる線図又は文字の一部が滲んだり変色したり、又は線図又は文字がプリントされていないシート３０表面部分が汚れたりして、そのシート３０表面にプリントされた線図又は文字の体裁が損なわれてしまった。
【０００４】
このような課題を解消するために、図４に示したように、線図又は文字がプリントされたシート３０を巻き取る巻き取り軸５０を、プラテン１０から遠く離して、プラテン１０前方に配置することが、考えられる。
その場合には、その線図又は文字がプリントされたシート３０が、プラテン１０前方から送り出されてから、プラテン１０から遠く離れた、プラテン１０前方に配置された巻き取り軸５０周囲に巻き取られるまでの時間を、長くすることができる。そして、そのシート３０表面にプリントされた線図又は文字を構成している複数のインクのドットが十分に乾き切った後に、そのシート３０を巻き取り軸５０周囲に巻き取ることができる。そして、その巻き取り軸５０周囲に巻き取られたシート３０表面に付着しているインクのドットが、他のシート３０部分と接触して、シート３０表面に広がったり、線図又は文字がプリントされていない他のシート３０部分に付着したり、又はシート３０表面に付着している他のインクのドットと混ざり合ったりするのを、防ぐことができる。そして、そのシート３０表面にプリントされた線図又は文字の体裁が損なわれるのを、防ぐことができる。
【０００５】
しかしながら、そうした場合には、シート３０をプラテン１０上にプリント可能にセッテングする際に、そのシート３０前部を、プラテン１０前方に長く延出させて、そのシート３０前部の前端を、プラテン１０から遠く離れたプラテン１０前方の巻き取り軸５０周囲に巻き掛ける必要がある。
そのために、そのプラテン１０上にシート３０をセッテングする際に、プラテン１０前方に引き出すシート３０前部の長さが増大して、その分、線図又は文字がプリントされずに無駄に廃棄されるシート３０前部の長さが増加してしまう。
【０００６】
なお、このように、線図又は文字がプリントされずに無駄に廃棄されるシート３０前部の長さを節約するために、シート３０をプラテン１０上にセッテングする際に、シート３０前部をプラテン１０前方に短く延出させて、そのシート３０前部の前端を巻き取り軸５０周囲に巻き掛けない状態のまま、シート３０表面に線図又は文字をＸ方向に連続してプリントし始める方法もある。そして、そのシート３０表面に線図又は文字をＸ方向に順次連続してプリントし続けて、その線図又は文字がプリントされたシート３０前部がプラテン１０前方に十分に長く延出した状態となった後に、そのプラテン１０前方に長く延出したシート３０前部の前端を、プラテン１０から遠く離れた巻き取り軸５０周囲に巻き掛ける方法がある。そして、その後は、前述と同様にして、そのシート３０表面に線図又は文字をＸ方向に漸次連続してプリントし続ける方法がある。
このプリント方法によれば、線図又は文字がプリントされずに無駄に破棄されるシート３０前部の長さを、大幅に短縮できる。
【０００７】
しかしながら、そうした場合には、プラテン１０上にセッテングされたシート３０表面に線図又は文字がプリントされ始めてから、その線図又は文字がプリントされたシート３０前部が、プラテン１０から遠く離して配置された巻き取り軸５０周囲に巻き掛け可能なように、プラテン１０前方に長く延出するまでの間、プリント作業者は、その線図又は文字がプリントされ始めたシート３０前部がプラテン１０前方に十分に長く延出した状態となったか否かを監視し続ける必要があって、その監視作業に多大な手数を要する。
【０００８】
加えて、シート３０をプラテン１０上にセッテングする際に、プラテン１０から遠く離して配置された巻き取り軸５０周囲にシート３０前部の前端を巻き掛ける作業は、プラテン１０近くに配置された巻き取り軸５０周囲にシート３０前部の前端を巻き掛ける作業に比べて、面倒であって、その使い勝手が悪い。
【０００９】
本発明は、このような課題を解消可能な、線図又は文字がプリントされたシートがプラテン前方に送り出されて巻き取り軸周囲に巻き取られるまでの時間を長くして、シート表面にプリントされた線図又は文字を構成しているインクのドットが十分に乾き切った後に、そのシートをプラテン前方の巻き取り軸周囲に巻き取ることができる、使い勝手の良いインクジェットプリンタを提供することを目的としている。
【００１０】
【課題を解決するための手段】
上記の目的を達成するために、本発明の第１のインクジェットプリンタは、プラテン上に送り込まれたシートであって、その表面にインクジェットヘッドのノズルから噴射されたインク滴によりインクのドットの寄せ集めからなる線図又は文字がプリントされたシートをプラテン前方に漸次送り出して、そのシートをプラテン前方に配置された巻き取り軸周囲にロール状に巻き取る構造のインクジェットプリンタにおいて、前記巻き取り軸をプラテンに接近させたりプラテンから遠ざけたり可能に支持する支持手段と、該支持手段によりプラテンに接近させて支持された巻き取り軸を、プラテン前方に漸次送り出されるシートの送り出し速度とほぼ同等の速度でプラテンから漸次遠ざける離隔手段であって、前記プラテン上に送り込まれて前記インクジェットヘッドによりシート表面にプリントが行われる際に、前記インクジェットによりプリントされてプラテン前方に送り出された前記シートが巻き取り軸周囲に達するまでにそのシート表面にプリントされた線図又は文字を構成しているインクのドットが乾き切った状態となる位置以上に巻き取り軸をプラテンから遠ざける離隔手段と、前記支持手段に支持された巻き取り軸をプラテン前方に送り出されたシートの巻き取り方向に回転させる回転手段と、該回転手段と巻き取り軸とを連結しているトルクリミッタであって、前記回転手段から巻き取り軸に加わる回転力を調整して、前記プラテン前方に送り出されたシートを、プラテンに対しての巻き取り軸の位置の変動に拘わりなく、巻き取り軸周囲に一定のテンションを加えながら弛みなく巻き取るトルクリミッタとが備えられてなることを特徴としている。
【００１１】
この第１のインクジェットプリンタにおいては、シートをプラテン上にセッテングする際には、支持手段に支持された巻き取り軸をプラテンに接近させた状態とすることができる。そして、プラテン前方にシート前部を短く延出させるだけで、そのシート前部の前端をプラテンに接近させた巻き取り軸周囲に巻き掛けることができる。そして、シートをプラテン上にセッテングする際に、プラテン前方に延出させるシート前部であって、線図又は文字がプリントされずに無駄に廃棄されるシート前部の長さを短縮できる。
次いで、そのセッテングされたシート表面に線図又は文字をＸ方向に漸次連続してプリントし始める際には、支持手段によりプラテンに接近させて支持された巻き取り軸を、離隔手段により、線図又は文字がＸ方向に漸次連続してプリントされてプラテン前方に漸次送り出されるシートの送り出し速度とほぼ同等の速度でプラテンから漸次遠ざけることができる。そして、その際に、その線図又は文字がＸ方向に漸次連続してプリントされ始めてプラテン前方に漸次送り出されるシートが、回転手段により回転させる巻き取り軸周囲に巻き取られるのを、防ぐことができる。そして、そのシート表面にプリントされ始めた線図又は文字を構成している乾き切っていないインクのドットが、他のシート部分と接触して、シート表面に広がったり、線図又は文字がプリントされていない他のシート部分に付着したり、又は他のシート表面のインクのドットと混ざり合ったりするのを、防ぐことができる。
次いで、プラテン前方に送り出されたシートが巻き取り軸周囲に達するまでにそのシート表面にプリントされた線図又は文字を構成しているインクのドットが乾き切った状態となる位置以上に、支持手段に支持された巻き取り軸が、離隔手段により、プラテンから遠ざけられた後であって、離隔手段による巻き取り軸の移動が停止された後には、線図又は文字がＸ方向に漸次連続してプリントされてプラテン前方に漸次送り出されるシートが、プラテン前方に送り出されてから、そのプラテンから遠く離れた回転手段により回転させる巻き取り軸周囲に巻き取られるまでの時間を、十分に長く取ることができる。そして、シート表面にプリントされた線図又は文字を構成している複数のインクのドットが乾き切らないうちに、そのシートが巻き取り軸周囲に巻き取られるのを、防ぐことができる。そして、そのシート表面に付着しているインクのドットが、他のシート部分と接触して、シート表面に広がったり、線図又は文字がプリントされていない他のシート部分に付着したり、又は他のシート表面のインクのドットと混ざり合ったりするのを、防ぐことができる。
【００１２】
また、このようにして、線図又は文字がプリントされてプラテン前方に送り出されるシートを回転手段により回転させる巻き取り軸周囲に順次巻き取る際に、巻き取り軸から該軸周囲に巻き取るシートに大きなテンションが加わった場合には、巻き取り軸にトルクリミッタを介して連結された回転手段を巻き取り軸に対して空回転させることができる。そして、プラテン前方に送り出されたシートが巻き取り軸周囲に過大なテンションで無理に巻き取られるのを、防ぐことができる。逆に、巻き取り軸から該軸周囲に巻き取るシートに加わるテンションが低下して、プラテン前方に送り出されたシートに弛みが生じた場合には、回転手段にトルクリミッタを介して連結された巻き取り軸を回転手段により回転させて、その弛みが生じたシートを巻き取り軸周囲に巻き取ることができる。そして、プラテン前方に送り出されたシートを、プラテンに対しての巻き取り軸の位置の変動に拘わりなく、巻き取り軸周囲に一定のテンションを加えながら常に弛みなく巻き取り続けることができる。
【００１３】
本発明の第１のインクジェットプリンタにおいては、前記離隔手段によりプラテンから遠ざけられた巻き取り軸を、プラテンに再接近させる復帰手段が備えられた構造とすることを好適としている。
【００１４】
この第１のインクジェットプリンタにあっては、離隔手段によりプラテンから遠ざけられた巻き取り軸を、復帰手段を用いて、プラテンに再接近させることができる。そして、シートをプラテン上にセッテングする際に、シート前部をプラテン前方に短く延出させるだけで、そのシート前部の前端を、プラテンに再接近させた巻き取り軸周囲に巻き掛けることができる。
【００１５】
本発明の第２のインクジェットプリンタは、プラテン上に送り込まれたシートであって、その表面にインクジェットヘッドのノズルから噴射されたインク滴によりインクのドットの寄せ集めからなる線図又は文字がプリントされたシートをプラテン前方に漸次送り出して、そのシートをプラテン前方に配置された巻き取り軸周囲にロール状に巻き取る構造のインクジェットプリンタにおいて、前記プラテン前方に送り出されて巻き取り軸周囲に巻き取られるシートの中途部内側に抱持させて、そのシートをプラテンと巻き取り軸との間の空間をほぼＶ字状又はほぼＵ字状に蛇行させるテンションローラと、該テンションローラをプラテンに接近させたりプラテンから遠ざけたり可能に支持するローラ支持手段と、該ローラ支持手段によりプラテンに接近させて支持されたテンションローラを、線図又は文字がプリントされてプラテン前方に漸次送り出されるシートの送り出し速度のほぼ１／２の速度でプラテンから漸次遠ざけるローラ離隔手段であって、前記プラテン上に送り込まれて前記インクジェットヘッドによりシート表面にプリントが行われる際に、前記インクジェットによりプリントされてプラテン前方に送り出された前記シートが巻き取り軸周囲に達するまでにそのシート表面にプリントされた線図又は文字を構成しているインクのドットが乾き切った状態となる位置以上にテンションローラをプラテンから遠ざけるローラ離隔手段と、前記巻き取り軸をプラテン前方に送り出されたシートの巻き取り方向に回転させる回転手段と、該回転手段と巻き取り軸とを連結しているトルクリミッタであって、回転手段から巻き取り軸に加わる回転力を調整して、プラテン前方に送り出されたシートを、プラテンに対してのテンションローラの位置の変動に拘わりなく、巻き取り軸周囲に一定のテンションを加えながら弛みなく巻き取るトルクリミッタとが備えられてなることを特徴としている。
【００１６】
この第２のインクジェットプリンタにおいては、シートをプラテン上にセッテングする際には、ローラ支持手段に支持されたテンションローラをプラテンに接近させた状態とすることができる。そして、プラテン前方に送り出されて巻き取り軸周囲に巻き取られるまでのシートの移動経路であって、テンションローラによりプラテンと巻き取り軸との間の空間をほぼＶ字状又はほぼＵ字状に蛇行させるシートの移動経路を短くできる。そして、シート前部をプラテン前方に短く延出させるだけで、そのシートの中途部内側にテンションローラを抱持させた状態で、そのシート前部の前端を、プラテン前方の巻き取り軸周囲に巻き掛けることができる。そして、シートをプラテン上にセッテングする際に、プラテン前方に延出させて、テンションローラによりプラテンと巻き取り軸との間の空間をほぼＶ字状又はほぼＵ字状に蛇行させて、その前端を巻き取り軸周囲に巻き掛けるシート前部であって、線図又は文字がプリントされずに無駄に廃棄されるシート前部の長さを、短縮できる。
次いで、そのセッテングされたシート表面に線図又は文字をＸ方向に漸次連続してプリントし始める際には、ローラ支持手段によりプラテンに接近させて支持されたテンションローラを、ローラ離隔手段により、線図又は文字がＸ方向に漸次連続してプリントされ始めてプラテン前方に漸次送り出されるシートの送り出し速度のほぼ１／２の速度でプラテンから漸次遠ざけることができる。そして、その際に、線図又は文字がＸ方向に漸次連続してプリントされ始めてプラテン前方に漸次送り出されるシートが、回転手段により回転させる巻き取り軸周囲に巻き取られるのを、防ぐことができる。そして、そのシート表面にプリントされ始めた線図又は文字を構成している乾き切っていないインクのドットが、他のシート部分と接触して、シート表面に広がったり、線図又は文字がプリントされていない他のシート部分に付着したり、又はシート表面の他のインクのドットと混ざり合ったりするのを、防ぐことができる。
次いで、プラテン前方に送り出されたシートが巻き取り軸周囲に達するまでにそのシート表面にプリントされた線図又は文字を構成しているインクのドットが乾き切った状態となる位置以上に、ローラ支持手段に支持されたテンションローラが、ローラ離隔手段により、プラテンから遠ざけられた後であって、ローラ離隔手段によるテンションローラの移動が停止された後には、線図又は文字がＸ方向に漸次連続してプリントされてプラテン前方に漸次送り出されるシートが、プラテン前方に送り出されてから、プラテンと巻き取り軸との間の空間をほぼＶ字状又はほぼＵ字状に蛇行して、回転手段により回転させる巻き取り軸周囲に巻き取られるまでの時間を、十分に長く取ることができる。そして、シート表面にプリントされた線図又は文字を構成している複数のインクのドットが乾き切らないうちに、そのシートが巻き取り軸周囲に巻き取られるのを、防ぐことができる。そして、そのシート表面に付着しているインクのドットが、他のシート部分と接触して、シート表面に広がったり、線図又は文字がプリントされていない他のシート部分に付着したり、又はシート表面の他のインクのドットと混ざり合ったりするのを防ぐことができる。
【００１７】
また、このようにして、線図又は文字がプリントされてプラテン前方に送り出されるシートを回転手段により回転させる巻き取り軸周囲に順次巻き取る際に、巻き取り軸から該軸周囲に巻き取るシートに大きなテンションが加わった場合には、巻き取り軸にトルクリミッタを介して連結された回転手段を巻き取り軸に対して空回転させることができる。そして、プラテン前方に送り出されたシートが巻き取り軸周囲に過大なテンションで無理に巻き取られるのを、防ぐことができる。逆に、巻き取り軸から該軸周囲に巻き取るシートに加わるテンションが低下して、プラテン前方に送り出されたシートに弛みが生じた場合には、回転手段にトルクリミッタを介して連結された巻き取り軸を回転手段により回転させて、その弛みが生じたシートを巻き取り軸周囲に巻き取ることができる。そして、プラテン前方に送り出されたシートであって、テンションローラによりプラテンと巻き取り軸との間の空間をほぼＶ字状又はほぼＵ字状に蛇行させるシートを、プラテンに対してのテンションローラの位置の変動に拘わりなく、巻き取り軸周囲に一定のテンションを加えながら常に弛みなく巻き取り続けることができる。
【００１８】
本発明の第２のインクジェットプリンタにおいては、前記離隔手段によりプラテンから遠ざけられたテンションローラを、プラテンに再接近させるローラ復帰手段が備えられた構造とすることを好適としている。
【００１９】
この第２のインクジェットプリンタにあっては、ローラ離隔手段によりプラテンから遠ざけられたテンションローラを、ローラ復帰手段を用いて、プラテンに再接近させることができる。そして、プラテン前方に送り出して、テンションローラによりプラテンと巻き取り軸との間の空間をほぼＶ字状又はほぼＵ字状に蛇行させるシートの移動経路を短くできる。そして、シートをプラテン上にセッテングする際に、シート前部をプラテン前方に短く延出するだけで、そのシート前部の中途部内側にテンションローラを抱持させた状態で、そのシート前部の前端を、プラテン前方の巻き取り軸周囲に巻き掛けることができる。
【００２０】
【発明の実施の形態】
図１は本発明の第１のインクジェットプリンタの好適な実施の形態を示し、図１はその概略構造説明図である。以下に、この第１のインクジェットプリンタを説明する。
【００２１】
図１の第１のインクジェットプリンタでは、プラテン１０前方に漸次送り出される線図又は文字がプリントされたシート３０をロール状に巻き取る巻き取り軸５０が、支持手段６０により、プラテン１０に接近させたりプラテン１０から遠ざけたり可能に支持されている。支持手段６０は、巻き取り軸５０を回転自在に支持する軸受け５２と、該軸受けを支持する支持枠５４と、該支持枠をプリンタ本体の脚１２に沿って上下に摺動可能に支持するガイドレール５６等から構成されている。
ガイドレール５６と支持枠５４とに亙っては、図１に破線で示したように、支持手段６０によりプラテン１０に接近させて支持された巻き取り軸５０を、プラテン１０前方に漸次送り出されるシート３０の送り出し速度とほぼ同等の速度でプラテン１０から漸次下方に遠ざける離隔手段７０であって、プラテン１０前方に送り出されたシート３０が巻き取り軸５０周囲に達するまでにそのシート３０表面にプリントされた線図又は文字を構成しているインクのドットが乾き切った状態となる位置以上に巻き取り軸５０をプラテンから遠ざける離隔手段７０が備えられている。離隔手段７０は、ラックとピニオンとの組み合わ機構、ボールねじ機構、又は歯付きベルト機構と、該機構を駆動させる電動モータ等から構成されている。
巻き取り軸５０には、該軸をプラテン１０前方に送り出されたシート３０の巻き取り方向に低速回転させるギヤ付き電動モータ等の回転手段８０が、トルクリミッタ９０を介して連結されている。そして、そのトルクリミッタ９０により、回転手段８０から巻き取り軸５０に加わる回転力を調整して、プラテン１０前方に送り出されたシート３０を、プラテン１０に対しての巻き取り軸５０の位置の変動に拘わりなく、巻き取り軸５０周囲に一定のテンションを加えながら弛みなく巻き取ることができるように構成されている。即ち、巻き取り軸５０から該軸周囲に巻き取るシート３０に一定値以上の大きなテンションが加わった場合には、回転手段８０が巻き取り軸５０に対して空回転するように構成されている。そして、プラテン１０前方に送り出されたシート３０が、巻き取り軸５０周囲に過大なテンションで無理に巻き取られるのを、防ぐことができるように構成されている。逆に、プラテン１０前方に送り出されたシート３０に弛みが生じて、巻き取り軸５０から該軸周囲に巻き取るシート３０に加わるテンションが低下した場合には、回転手段８０が巻き取り軸５０を回転させるように構成されている。そして、プラテン１０前方に送り出されたシート３０を、一定値以下のテンションで常に弛みなく巻き取り続けることができるように構成されている。
【００２２】
その他は、図３に示した前述のインクジェットプリンタと同様に構成されていて、この図１に示した第１のインクジェットプリンタにおいては、シート３０をプラテン１０上にセッテングする際には、図１に破線で示したように、支持手段６０に支持された巻き取り軸５０をプラテン１０に接近させた状態とすることができる。そして、プラテン１０前方にシート３０前部を短く延出させるだけで、そのシート３０前部の前端をプラテン１０に接近させた巻き取り軸５０周囲に巻き掛けることができる。そして、シート３０をプラテン１０上にセッテングする際に、プラテン１０前方に延出させるシート３０前部であって、線図又は文字がプリントされずに無駄に廃棄されるシート３０前部の長さを短縮できる。
次いで、そのセッテングされたシート３０表面に線図又は文字をＸ方向に漸次連続してプリントし始める際には、支持手段６０によりプラテン１０に接近させて支持された巻き取り軸５０を、離隔手段７０により、図１に矢印で示したように、線図又は文字がＸ方向に漸次連続してプリントされてプラテン１０前方に漸次送り出されるシート３０の送り出し速度とほぼ同等の速度でプラテン１０から漸次下方に遠ざけることができる。そして、その際に、その線図又は文字がＸ方向に漸次連続してプリントされ始めてプラテン１０前方に漸次送り出されるシート３０が、回転手段８０により回転させる巻き取り軸５０周囲に巻き取られて、他のシート３０部分と重なり合うのを、防ぐことができる。そして、そのシート３０表面にプリントされ始めた線図又は文字を構成している乾き切っていないインクのドットが、他のシート３０部分と接触して、シート３０表面に広がったり、線図又は文字がプリントされていない他のシート３０部分に付着したり、又は他のシート３０表面のインクのドットと混ざり合ったりするのを、防ぐことができる。
次いで、図１に実線で示したように、プラテン１０前方に送り出されたシート３０が巻き取り軸５０周囲に達するまでにその表面にプリントされた線図又は文字を構成しているインクのドットが乾き切った状態となる位置以上に、支持手段６０に支持された巻き取り軸５０が、離隔手段７０により、プラテン１０下方に遠ざけられた後であって、離隔手段７０による巻き取り軸５０の移動が停止された後には、線図又は文字がＸ方向に漸次連続してプリントされてプラテン１０前方に漸次送り出されるシート３０が、プラテン１０前方から送り出されてから、そのプラテン１０から遠く離れた回転手段８０により回転させる巻き取り軸５０周囲に巻き取られるまでの時間を、十分に長く取ることができる。そして、そのシート３０表面にプリントされた線図又は文字を構成している複数のインクのドットが乾き切らないうちに、そのシート３０が、巻き取り軸５０周囲に巻き取られて、他のシート３０部分と重なり合うのを、防ぐことができる。そして、そのシート３０表面に付着しているインクのドットが、他のシート３０部分と接触して、シート３０表面に広がったり、線図又は文字がプリントされていない他のシート３０部分に付着したり、又は他のシート３０表面のインクのドットと混ざり合ったりするのを、防ぐことができる。
【００２３】
また、このようにして、線図又は文字がプリントされてプラテン１０前方に送り出されるシート３０を回転手段８０により回転させる巻き取り軸５０周囲に順次巻き取る際に、巻き取り軸５０から該軸周囲に巻き取るシート３０に大きなテンションが加わった場合には、巻き取り軸５０にトルクリミッタ９０を介して連結された回転手段８０を巻き取り軸５０に対して空回転させることができる。そして、プラテン１０前方に送り出されたシート３０が巻き取り軸５０周囲に過大なテンションで無理に巻き取られるのを、防ぐことができる。逆に、巻き取り軸５０から該軸周囲に巻き取るシート３０に加わるテンションが低下して、プラテン１０前方に送り出されたシート３０に弛みが生じた場合には、回転手段８０にトルクリミッタ９０を介して連結された巻き取り軸５０を回転手段８０により回転させて、その弛みが生じたシート３０を巻き取り軸５０周囲に巻き取ることができる。そして、プラテン１０前方に送り出されたシート３０を、プラテン１０に対しての巻き取り軸５０の位置の変動に拘わりなく、巻き取り軸５０周囲に一定のテンションを加えながら常に弛みなく巻き取り続けることができる。
【００２４】
この図１に示した第１のインクジェットプリンタにおいては、離隔手段７０によりプラテン１０から遠ざけられた巻き取り軸５０を、プラテン１０に再接近させる復帰手段１００を備えると良い。復帰手段１００は、例えば、離隔手段７０のラックとピニオンとの組み合わ機構、ボールねじ機構、又は歯付きベルト機構を駆動させる電動モータ等を逆回転させる構造のものとすると良い。
【００２５】
その場合には、離隔手段７０によりプラテン１０から遠ざけられた巻き取り軸５０を、復帰手段１００を用いて、図１に破線で示したように、プラテン１０に再接近させることができる。そして、シート３０をプラテン１０上にセッテングする際に、シート３０前部をプラテン１０前方に短く延出させるだけで、そのシート３０前部の前端を、プラテン１０に再接近させた巻き取り軸５０周囲に巻き掛けることができる。
【００２６】
図２は本発明の第２のインクジェットプリンタの好適な実施の形態を示し、図２はその概略構造説明図である。以下に、この第２のインクジェットプリンタを説明する。
【００２７】
図２の第２のインクジェットプリンタでは、プラテン１０前方に送り出されて巻き取り軸５０周囲に巻き取られるシート３０の中途部内側に抱持させて、そのシート３０をプラテン１０と巻き取り軸５０との間の空間をほぼＶ字状又はほぼＵ字状に蛇行させるテンションローラ１１０が備えられている。テンションローラ１１０は、円柱状をしていて、上記のシート３０を横断させて、シート３０の中途部内側に抱持させる構造をしている。
テンションローラ１１０は、ローラ支持手段１２０に、プラテン１０に接近させたりプラテン１０から遠ざけたり可能に支持されている。ローラ支持手段１２０は、図２に示したように、テンションローラ１１０を回転自在に支持するアーム１２２と、該アームをプリンタ本体の脚１２に沿って上下に摺動可能に支持するガイドレール１２４等から構成されている。
アーム１２２とガイドレール１２４に亙っては、図２に破線で示したように、ローラ支持手段１２０によりプラテン１０に接近させて支持されたテンションローラ１１０を、線図又は文字がプリントされてプラテン１０前方に漸次送り出されるシート３０の送り出し速度のほぼ１／２の速度でプラテン１０から漸次下方に遠ざけるローラ離隔手段１３０であって、そのプラテン１０前方に送り出されたシート３０が巻き取り軸５０周囲に達するまでにそのシート３０表面にプリントされた線図又は文字を構成しているインクのドットが乾き切った状態となる位置以上にテンションローラ１１０をプラテン１０から遠ざけるローラ離隔手段１３０が備えられている。ローラ離隔手段１３０は、ラックとピニオンとの組み合わ機構、ボールねじ機構、又は歯付きベルト機構と、該機構を駆動させる電動モータ等から構成されている。
巻き取り軸５０は、軸受け５２、支持枠５４を介して、プリンタ本体の脚１２に回転可能に支持されていて、プラテン１０前方近くに動かぬように固定して配置されている。
【００２８】
その他は、図１に示した第１のインクジェットプリンタと同様に構成されていて、この第２のインクジェットプリンタにおいては、シート３０をプラテン１０上にセッテングする際には、図２に破線で示したように、ローラ支持手段１２０に支持されたテンションローラ１１０をプラテン１０に接近させた状態とすることができる。そして、プラテン１０前方に送り出されて巻き取り軸５０周囲に巻き取られるまでのシート３０の移動経路であって、テンションローラ１１０によりプラテン１０と巻き取り軸５０との間の空間をほぼＶ字状又はほぼＵ字状に蛇行させるシート３０の移動経路を短くできる。そして、シート３０前部をプラテン１０前方に短く延出させるだけで、そのシート３０前部の前端をプラテン１０前方の巻き取り軸５０周囲に巻き掛けることができる。そして、シート３０をプラテン１０上にセッテングする際に、プラテン１０前方に延出させるシート３０前部であって、線図又は文字がプリントされずに無駄に廃棄されるシート３０前部の長さを、短縮できる。
次いで、そのセッテングされたシート３０表面に線図又は文字をＸ方向に漸次連続してプリントし始める際には、ローラ支持手段１２０によりプラテン１０に接近させて支持されたテンションローラ１１０を、ローラ離隔手段１３０により、図２に矢印で示したように、線図又は文字がＸ方向に漸次連続してプリントされ始めてプラテン１０前方に漸次送り出されるシート３０の送り出し速度のほぼ１／２の速度でプラテン１０から漸次下方に遠ざけることができる。そして、その際に、線図又は文字がＸ方向に漸次連続してプリントされ始めてプラテン１０前方に漸次送り出されるシート３０が、回転手段８０により回転させる巻き取り軸５０周囲に巻き取られるのを、防ぐことができる。そして、そのシート３０表面にプリントされ始めた線図又は文字を構成している乾き切っていないインクのドットが、他のシート３０部分と接触して、シート３０表面に広がったり、線図又は文字がプリントされていない他のシート３０部分に付着したり、又はシート３０表面の他のインクのドットと混ざり合ったりするのを、防ぐことができる。次いで、プラテン１０前方に送り出されたシート３０が巻き取り軸５０周囲に達するまでにそのシート３０表面にプリントされた線図又は文字を構成しているインクのドットが乾き切った状態となる位置以上に、ローラ支持手段１２０に支持されたテンションローラ１１０が、ローラ離隔手段１３０により、プラテン１０から遠ざけられた後であって、ローラ離隔手段１３０によるテンションローラ１１０の移動が停止された後には、線図又は文字がＸ方向に漸次連続してプリントされてプラテン１０前方に漸次送り出されるシート３０が、プラテン１０前方に送り出されてから、プラテン１０と巻き取り軸５０との間の空間をほぼＶ字状又はほぼＵ字状に蛇行して、回転手段８０により回転させる巻き取り軸５０周囲に巻き取られるまでの時間を、十分に長く取ることができる。そして、シート３０表面にプリントされた線図又は文字を構成している複数のインクのドットが乾き切らないうちに、そのシート３０が巻き取り軸５０周囲に巻き取られるのを、防ぐことができる。そして、そのシート３０表面に付着しているインクのドットが、他のシート３０部分と接触して、シート３０表面に広がったり、線図又は文字がプリントされていない他のシート３０部分に付着したり、又はシート３０表面の他のインクのドットと混ざり合ったりするのを防ぐことができる。
【００２９】
また、このようにして、線図又は文字がプリントされてプラテン１０前方に送り出されるシート３０を回転手段８０により回転させる巻き取り軸５０周囲に順次巻き取る際に、巻き取り軸５０から該軸周囲に巻き取るシート３０に大きなテンションが加わった場合には、巻き取り軸５０にトルクリミッタ９０を介して連結された回転手段８０を巻き取り軸５０に対して空回転させることができる。そして、プラテン１０前方に送り出されたシート３０が巻き取り軸５０周囲に過大なテンションで無理に巻き取られるのを、防ぐことができる。逆に、巻き取り軸５０から該軸周囲に巻き取るシート３０に加わるテンションが低下して、プラテン１０前方に送り出されたシート３０に弛みが生じた場合には、回転手段８０にトルクリミッタ９０を介して連結された巻き取り軸５０を回転手段８０により回転させて、その弛みが生じたシート３０を巻き取り軸５０周囲に巻き取ることができる。そして、プラテン１０前方に送り出されたシート３０であって、その中途部内側にテンションローラ１１０が抱持されたシート３０を、プラテン１０に対してのテンションローラ１１０の位置の変動に拘わりなく、巻き取り軸５０周囲に一定のテンションを加えながら常に弛みなく巻き取り続けることができる。
【００３０】
図２に示した第２のインクジェットプリンタにおいては、ローラ離隔手段１３０によりプラテン１０から遠ざけられたテンションローラ１１０を、プラテン１０に再接近させるローラ復帰手段１５０を備えると良い。ローラ復帰手段１５０は、例えば、ローラ離隔手段１３０のラックとピニオンとの組み合わ機構、ボールねじ機構、又は歯付きベルト機構を駆動させる電動モータ等を逆回転させる構造のものとすると良い。
【００３１】
その場合には、ローラ離隔手段１３０によりプラテン１０から遠ざけられたテンションローラ１１０を、ローラ復帰手段１５０を用いて、図２に破線で示したように、プラテン１０に再接近させることができる。そして、プラテン１０前方に送り出して、テンションローラ１１０によりプラテン１０と巻き取り軸５０との間の空間をほぼＶ字状又はほぼＵ字状に蛇行させるシート３０の移動経路を短くできる。そして、シート３０をプラテン１０上にセッテングする際に、シート３０前部をプラテン１０前方に短く延出するだけで、そのシート３０前部の中途部内側にテンションローラ１１０を抱持させた状態で、そのシート３０前部の前端を、プラテン１０前方の巻き取り軸５０周囲に巻き掛けることができる。
【００３２】
【発明の効果】
以上説明したように、本発明の第１又は第２のインクジェットプリンタによれば、線図又は文字がプリントされてプラテン前方に送り出されるシートを、そのシート表面にプリントされた線図又は文字を構成しているインクのドットが十分に乾き切った後に、プラテン前方の回転手段により回転させる巻き取り軸周囲に巻き取ることができる。そして、そのシート表面に付着しているインクのドットが、他のシート部分と接触して、シート表面に広がったり、線図又は文字がプリントされていない他のシート部分に付着したり、又は他のシート表面に付着しているインクのドットと互いに混ざり合ったりするのを、防ぐことができる。そして、そのシート表面にプリントされた線図又は文字が滲んだり色あせたり変色したり等して、そのシート表面にプリントされた線図又は文字の体裁が損なわれるのを、防ぐことができる。
【００３３】
また、シートをプラテン上にセッテングする際には、そのシート前部をプラテン前方に短く延出するだけで、そのシート前部の前端を、プラテン近くに配置された巻き取り軸周囲に巻き掛けることができる。そして、そのシートをプラテン上にセッテングする際の、使い勝手を良好に保つことができる。
【図面の簡単な説明】
【図１】本発明の第１のインクジェットプリンタの概略構造説明図である。
【図２】本発明の第２のインクジェットプリンタの概略構造説明図である。
【図３】従来のインクジェットプリンタの概略構造説明図である。
【図４】従来のインクジェットプリンタの概略構造説明図である。
【符号の説明】
１０  プラテン
１２  脚
２０  インクジェットヘッド
２２  ノズル
３０  シート
５０  巻き取り軸
５４  支持枠
５６  ガイドレール
６０  支持手段
７０  離隔手段
８０  回転手段
９０  トルクリミッタ
１００  復帰手段
１１０  テンションローラ
１２０  ローラ支持手段
１２２  アーム
１２４  ガイドレール
１３０  ローラ離隔手段
１５０  ローラ復帰手段
【図１】
0004318401.tif 000002
【図２】
0004318401.tif 000003
【図３】
0004318401.tif 000004
【図４】
0004318401.tif 000005